(57)【特許請求の範囲】
【請求項１】
音声データの入力を順次に受け付ける音声入力部と、
前記音声入力部によって前記音声データの入力が順次に受け付けられる間に操作情報の入力を受け付ける操作入力部と、
前記操作情報から前記音声データを繰り返して出力すべき繰り返し部分を示す繰り返し情報を検出する検出部と、
前記音声入力部によって入力が受け付けられた前記音声データと前記検出部によって検出された前記繰り返し情報とを無線信号によって子局に送信する通信部と、
を備える、親局と、
前記親局から前記音声データと前記繰り返し情報とを前記無線信号によって受信する通信部と、
音声データを出力する音声出力部と、
音声データが記録される音声メモリと、
前記通信部によって前記繰り返し情報が示す前記繰り返し部分より前の部分が受信されている間は受信された当該部分を前記音声出力部から順次に出力させ、前記繰り返し部分が受信されている間は受信された当該部分を前記音声メモリに順次に記録するとともに前記音声出力部から順次に出力させ、前記繰り返し部分より後の部分が受信されている間は受信された当該部分を前記音声メモリに順次に記録するとともに前記音声メモリから前記繰り返し部分と当該繰り返し部分に続く部分とを順次に読み出して前記音声出力部から出力させる記録制御部と、
を備える、子局と、
を有することを特徴とする、無線通信システム。
【請求項２】
前記繰り返し情報は、
前記繰り返し部分の開始を示す開始信号が入力される時刻と前記繰り返し部分の終了を示す終了信号が入力される時刻との組み合わせによって構成されることを特徴とする、請求項１に記載の無線通信システム。
【請求項３】
音声データと当該音声データの所定の範囲に対する繰返しを指定する繰返し情報との入力を音声出力処理手段が受け付けるステップと、
入力された音声データを前記音声出力処理手段が出力処理するステップと、を備えた音声出力方法において、
音声データを出力処理するステップでは、
前記音声出力処理手段は、
入力された音声データを順次出力処理するとともに、出力処理する音声データに繰返しが指定されていれば、当該繰返し範囲を繰り返して出力処理を行い、
前記繰り返して出力処理する間に入力された繰返し範囲以降の音声データを記憶手段に記憶し、
前記繰返し範囲を繰返して出力した後に、前記記憶した繰返し範囲以降の音声データを出力処理する、音声出力方法。
【請求項４】
親局から音声データと前記音声データを繰り返して出力すべき繰り返し部分を示す繰り返し情報とを無線信号によって受信する通信部と、
音声データを出力する音声出力部と、
音声データが記録される音声メモリと、
前記通信部によって前記繰り返し情報が示す前記繰り返し部分より前の部分が受信されている間は受信された当該部分を前記音声出力部から順次に出力させ、前記繰り返し部分が受信されている間は受信された当該部分を前記音声メモリに順次に記録するとともに前記音声出力部から順次に出力させ、前記繰り返し部分より後の部分が受信されている間は受信された当該部分を前記音声メモリに順次に記録するとともに前記音声メモリから前記繰り返し部分と当該繰り返し部分に続く部分とを順次に読み出して前記音声出力部から出力させる記録制御部と、
を備えることを特徴とする、子局。
【請求項５】
音声データの入力を順次に受け付ける音声入力部と、
前記音声入力部によって前記音声データの入力が順次に受け付けられる間に操作情報の入力を受け付ける操作入力部と、
前記操作情報から前記音声データを繰り返して出力すべき繰り返し部分を示す繰り返し情報を検出する検出部と、
音声データが記録される音声メモリと、
子局と無線信号によって通信を行う通信部と、
前記音声入力部によって前記繰り返し情報が示す前記繰り返し部分より前の部分の入力が受け付けられている間は入力が受け付けられた当該部分について前記通信部を介して前記子局に順次に送信し、前記繰り返し部分の入力が受け付けられている間は入力が受け付けられた当該部分について前記音声メモリに順次に記録するとともに前記通信部を介して前記子局に順次に送信し、前記繰り返し部分より後の部分の入力が受け付けられている間は入力が受け付けられた当該部分について前記音声メモリに順次に記録するとともに前記音声メモリから前記繰り返し部分と当該繰り返し部分に続く部分とを順次に読み出して前記通信部を介して前記子局に送信する記録制御部と、
を備える、親局と、
前記親局から前記音声データを前記無線信号によって受信する通信部と、
前記通信部によって受信された前記音声データを出力する音声出力部と、
を備える、子局と、
を有することを特徴とする、無線通信システム。
【請求項６】
音声データの入力を順次に受け付ける音声入力部と、
前記音声入力部によって前記音声データの入力が順次に受け付けられる間に操作情報の入力を受け付ける操作入力部と、
前記操作情報から前記音声データを繰り返して出力すべき繰り返し部分を示す繰り返し情報を検出する検出部と、
音声データが記録される音声メモリと、
子局と無線信号によって通信を行う通信部と、
前記音声入力部によって前記繰り返し情報が示す前記繰り返し部分より前の部分の入力が受け付けられている間は入力が受け付けられた当該部分について前記通信部を介して前記子局に順次に送信し、前記繰り返し部分の入力が受け付けられている間は入力が受け付けられた当該部分について前記音声メモリに順次に記録するとともに前記通信部を介して前記子局に順次に送信し、前記繰り返し部分より後の部分の入力が受け付けられている間は入力が受け付けられた当該部分について前記音声メモリに順次に記録するとともに前記音声メモリから前記繰り返し部分と当該繰り返し部分に続く部分とを順次に読み出して前記通信部を介して前記子局に送信する記録制御部と、
を備えることを特徴とする、親局。
【請求項７】
音声データを順次に取得する音声入力部と、
前記音声入力部によって前記音声データの入力が順次に受け付けられる間に操作情報の入力を受け付ける操作入力部と、
前記操作情報から前記音声データを繰り返して出力すべき繰り返し部分を示す繰り返し情報を検出する検出部と、
音声データが記録される音声メモリと、
親局に前記操作情報を順次に出力する操作出力部と、
前記親局に前記音声データを順次に出力する音声出力部と、
前記音声入力部によって前記繰り返し情報が示す前記繰り返し部分より前の部分が取得されている間は取得された当該部分について前記音声出力部を介して前記親局に順次に出力し、前記繰り返し部分が取得されている間は取得された当該部分について前記音声メモリに順次に記録するとともに前記音声出力部を介して前記親局に順次に出力し、前記繰り返し部分より後の部分が取得されている間は取得された当該部分について前記音声メモリに順次に記録するとともに前記音声メモリから前記繰り返し部分と当該繰り返し部分に続く部分とを順次に読み出して前記音声出力部を介して前記親局に出力する記録制御部と、
を備える、操作卓と、
前記操作卓から前記音声データの入力を受け付ける音声入力部と、
前記音声入力部によって入力が受け付けられた前記音声データを無線信号によって子局に送信する通信部と、
を備える、親局と、
前記親局から前記音声データを前記無線信号によって受信する通信部と、
前記通信部によって受信された前記音声データを出力する音声出力部と、
を備える、子局と、
を有することを特徴とする、無線通信システム。
【請求項８】
音声データを順次に取得する音声入力部と、
前記音声入力部によって前記音声データの入力が順次に受け付けられる間に操作情報の入力を受け付ける操作入力部と、
前記操作情報から前記音声データを繰り返して出力すべき繰り返し部分を示す繰り返し情報を検出する検出部と、
音声データが記録される音声メモリと、
親局に前記操作情報を順次に出力する操作出力部と、
前記親局に前記音声データを順次に出力する音声出力部と、
前記音声入力部によって前記繰り返し情報が示す前記繰り返し部分より前の部分が取得されている間は取得された当該部分について前記音声出力部を介して前記親局に順次に出力し、前記繰り返し部分が取得されている間は取得された当該部分について前記音声メモリに順次に記録するとともに前記音声出力部を介して前記親局に順次に出力し、前記繰り返し部分より後の部分が取得されている間は取得された当該部分について前記音声メモリに順次に記録するとともに前記音声メモリから前記繰り返し部分と当該繰り返し部分に続く部分とを順次に読み出して前記音声出力部を介して前記親局に出力する記録制御部と、
を備えることを特徴とする、操作卓。
【発明の詳細な説明】
【技術分野】
【０００１】
本発明は、無線通信システム、親局、子局および操作卓に関するものである。
【背景技術】
【０００２】
従来、親局から無線信号によって送信された音声データ（以下、「放送メッセージ」とも言う。）を子局が出力する無線通信システムにおいて、子局は音声データの特定のフレーズを繰り返し出力する必要が生じることがある。特に、上記したような無線通信システムが高い緊急性を要するシステムに適用される場合などには、子局から発せられる音声を聴く人に対して瞬時に放送内容の主意を確実に理解させる必要があるため、子局が音声データの特定のフレーズを繰り返し出力する必要性が高い。
【０００３】
高い緊急性を要するシステムとしては、例えば、防災目的で使用されるシステムなどが想定される。防災目的で使用されるシステムでは、例えば、「こちらは広報○○です。ただいま大雨洪水警報が発令されました。ただいま大雨洪水警報が発令されました。厳重に警戒して下さい。」といったような音声データが出力される。この場合には「ただいま大雨洪水警報が発令されました。」という特定のフレーズが繰り返し出力されている。
【０００４】
子局に特定のフレーズを繰り返し出力させるために、大抵の場合には、オペレータがマイクを介して特定のフレーズを繰り返し入力し、繰り返し入力された特定のフレーズを親局は子局に送信する必要があった。あるいは、親局は、オペレータが入力した内容をメモリ（以下、「音源メモリ」とも言う。）に記録しておき、必要に応じて音源メモリから入力した内容を読み出して子局に送信する必要があった。しかし、このような技術では、オペレータがマイクを介して特定のフレーズを繰り返し入力しなくてはならず、手間がかかってしまう。
【０００５】
また、子局が親局から送信された音声データを繰り返し再生する手法が採用されることもあった。しかし、このような技術では、子局は親局から送信された音声データのうち特定のフレーズ以外の部分についても繰り返し再生して出力してしまうため、子局から発せられる音声を聴く人に対して瞬時に放送内容の主意を理解させることができない。
【０００６】
また、オペレータがマイクを介して放送内容を入力している間、入力された放送内容を子局に送信するとともにメモリに記録する親局に関する技術が開示されている（例えば、特許文献などを参照）。この技術では、親局は、オペレータによる放送内容の入力が終了したことを検出すると、あらかじめ記録されている「再放送を行います。」などといった定型メッセージを子局に送信し、それに続いて、記録した放送内容を子局に送信する。子局は、定型メッセージを挟んで放送内容を繰り返して出力することができる。
【先行技術文献】
【特許文献】
【０００７】
【特許文献１】特開２００９−１８２４８４号公報
【発明の概要】
【発明が解決しようとする課題】
【０００８】
しかしながら、例えば、特許文献１に開示された技術によれば、オペレータがマイクを介して入力した放送内容がすべて子局によって繰り返して出力されてしまうという問題があった。すなわち、子局は放送内容のうちで特定のフレーズのみを繰り返して出力することができないために、子局から発せられる音声を聴く人に対して瞬時に放送内容の主意を理解させることができないといった問題があった。
【０００９】
そこで、本発明は、上記問題に鑑みてなされたものであり、本発明の目的とするところは、オペレータが親局に音声データのうちの特定の部分を繰り返し入力しなくても、子局が音声データのうちの特定の部分を繰り返して出力することが可能な技術を提供することにある。
【課題を解決するための手段】
【００１０】
上記問題を解決するために、本発明のある観点によれば、音声データの入力を順次に受け付ける音声入力部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声入力部によって入力が受け付けられた音声データと検出部によって検出された繰り返し情報とを無線信号によって子局に送信する通信部と、を備える、親局と、親局から音声データと繰り返し情報とを無線信号によって受信する通信部と、音声データを出力する音声出力部と、音声データが記録される音声メモリと、通信部によって繰り返し情報が示す繰り返し部分より前の部分が受信されている間は受信されたその部分を音声出力部から順次に出力させ、繰り返し部分が受信されている間は受信されたその部分を音声メモリに順次に記録するとともに音声出力部から順次に出力させ、繰り返し部分より後の部分が受信されている間は受信されたその部分を音声メモリに順次に記録するとともに音声メモリから繰り返し部分とその繰り返し部分に続く部分とを順次に読み出して音声出力部から出力させる記録制御部と、を備える、子局と、を有することを特徴とする、無線通信システムが提供される。
【００１１】
繰り返し情報は、繰り返し部分の開始を示す開始信号が入力される時刻と繰り返し部分の終了を示す終了信号が入力される時刻との組み合わせによって構成されることとしてもよい。
【００１２】
開始信号は、オペレータによってボタンが押下されることにより生じ、終了信号は、オペレータによってボタンが離されることにより生じることとしてもよい。
【００１３】
また、本発明の別の観点によれば、音声データの入力を順次に受け付ける音声入力部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声入力部によって入力が受け付けられた音声データと検出部によって検出された繰り返し情報とを無線信号によって子局に送信する通信部と、を備えることを特徴とする、親局が提供される。
【００１４】
また、本発明の別の観点によれば、親局から音声データと音声データを繰り返して出力すべき繰り返し部分を示す繰り返し情報とを無線信号によって受信する通信部と、音声データを出力する音声出力部と、音声データが記録される音声メモリと、通信部によって繰り返し情報が示す繰り返し部分より前の部分が受信されている間は受信されたその部分を音声出力部から順次に出力させ、繰り返し部分が受信されている間は受信されたその部分を音声メモリに順次に記録するとともに音声出力部から順次に出力させ、繰り返し部分より後の部分が受信されている間は受信されたその部分を音声メモリに順次に記録するとともに音声メモリから繰り返し部分とその繰り返し部分に続く部分とを順次に読み出して音声出力部から出力させる記録制御部と、を備えることを特徴とする、子局が提供される。
【００１５】
また、本発明の別の観点によれば、音声データの入力を順次に受け付ける音声入力部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声データが記録される音声メモリと、子局と無線信号によって通信を行う通信部と、音声入力部によって繰り返し情報が示す繰り返し部分より前の部分の入力が受け付けられている間は入力が受け付けられたその部分について通信部を介して子局に順次に送信し、繰り返し部分の入力が受け付けられている間は入力が受け付けられたその部分について音声メモリに順次に記録するとともに通信部を介して子局に順次に送信し、繰り返し部分より後の部分の入力が受け付けられている間は入力が受け付けられたその部分について音声メモリに順次に記録するとともに音声メモリから繰り返し部分とその繰り返し部分に続く部分とを順次に読み出して通信部を介して子局に送信する記録制御部と、を備える、親局と、親局から音声データを無線信号によって受信する通信部と、通信部によって受信された音声データを出力する音声出力部と、を備える、子局と、を有することを特徴とする、無線通信システムが提供される。
【００１６】
また、本発明の別の観点によれば、音声データの入力を順次に受け付ける音声入力部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声データが記録される音声メモリと、子局と無線信号によって通信を行う通信部と、音声入力部によって繰り返し情報が示す繰り返し部分より前の部分の入力が受け付けられている間は入力が受け付けられたその部分について通信部を介して子局に順次に送信し、繰り返し部分の入力が受け付けられている間は入力が受け付けられたその部分について音声メモリに順次に記録するとともに通信部を介して子局に順次に送信し、繰り返し部分より後の部分の入力が受け付けられている間は入力が受け付けられたその部分について音声メモリに順次に記録するとともに音声メモリから繰り返し部分とその繰り返し部分に続く部分とを順次に読み出して通信部を介して子局に送信する記録制御部と、を備えることを特徴とする、親局が提供される。
【００１７】
また、本発明の別の観点によれば、音声データを順次に取得する音源制御部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声データが記録される音声メモリと、親局に操作情報を順次に出力する操作出力部と、親局に音声データを順次に出力する音声出力部と、音源制御部によって繰り返し情報が示す繰り返し部分より前の部分が取得されている間は取得されたその部分について音声出力部を介して親局に順次に出力し、繰り返し部分が取得されている間は取得されたその部分について音声メモリに順次に記録するとともに音声出力部を介して親局に順次に出力し、繰り返し部分より後の部分が取得されている間は取得されたその部分について音声メモリに順次に記録するとともに音声メモリから繰り返し部分とその繰り返し部分に続く部分とを順次に読み出して音声出力部を介して親局に出力する記録制御部と、を備える、操作卓と、操作卓から音声データの入力を受け付ける音声入力部と、音声入力部によって入力が受け付けられた音声データを無線信号によって子局に送信する通信部と、を備える、親局と、親局から音声データを無線信号によって受信する通信部と、通信部によって受信された音声データを出力する音声出力部と、を備える、子局と、を有することを特徴とする、無線通信システムが提供される。
【００１８】
また、本発明の別の観点によれば、音声データを順次に取得する音源制御部と、音声入力部によって音声データの入力が順次に受け付けられる間に操作情報の入力を受け付ける操作入力部と、操作情報から音声データを繰り返して出力すべき繰り返し部分を示す繰り返し情報を検出する検出部と、音声データが記録される音声メモリと、親局に操作情報を順次に出力する操作出力部と、親局に音声データを順次に出力する音声出力部と、音源制御部によって繰り返し情報が示す繰り返し部分より前の部分が取得されている間は取得されたその部分について音声出力部を介して親局に順次に出力し、繰り返し部分が取得されている間は取得されたその部分について音声メモリに順次に記録するとともに音声出力部を介して親局に順次に出力し、繰り返し部分より後の部分が取得されている間は取得されたその部分について音声メモリに順次に記録するとともに音声メモリから繰り返し部分とその繰り返し部分に続く部分とを順次に読み出して音声出力部を介して親局に出力する記録制御部と、を備えることを特徴とする、操作卓が提供される。
【発明の効果】
【００１９】
以上説明したように本発明によれば、オペレータが親局に音声データのうちの特定の部分を繰り返し入力しなくても、子局が音声データのうちの特定の部分を繰り返して出力することが可能となる。
【図面の簡単な説明】
【００２０】
【図１】本発明の実施形態に係る無線通信システムの構成を示す図である。
【図２】同実施形態に係る操作卓の機能構成を示す図である。
【図３】同実施形態に係る親局の機能構成を示す図である。
【図４】同実施形態に係る子局の機能構成を示す図である。
【図５】同実施形態に係る親局および子局の各局によって出力される音声データと各局によって検出される検出信号との時間による変化の一例を示す図である。
【図６】同実施形態に係る子局の音声メモリに記録される音声データの時間による変化の一例を示す図である。
【図７】従来技術に係る親局と本発明の実施形態に係る親局との占有時間を比較するための図である。
【図８】同実施形態に係る操作卓によって音声データの繰り返し部分が展開される変形例について説明するための図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
［構成の説明］
図１は、本発明の実施形態に係る無線通信システムの構成を示す図である。図１を参照して、本発明の実施形態に係る無線通信システムの構成について説明する。図１に示すように、本発明の実施形態に係る無線通信システム１０は、オペレータによって使用される操作卓１１０と、操作卓１１０から送信された各種情報に基づいて音声データを送信する親局１２０と、親局１２０から送信された音声データを出力する子局２００とを有するものである。
【００２３】
無線通信システム１０が適用されるシステムの形態は特に限定されるものではないが、上記したように、例えば、無線通信システム１０は、高い緊急性が要求されるシステムに適用された場合には、特に顕著な効果を奏するものである。高い緊急性が要求されるシステムとは、上記したように、例えば、防災目的で使用されるシステムなどが想定される。無線通信システム１０が防災目的で使用されるシステムに適用される場合としては、例えば、子局２００が地域の公民館などに設置され、親局１２０が市役所の防災対策課に設置される場合などが想定される。その場合には、市役所の職員がオペレータとなって操作卓１１０を操作して音声データを入力し、親局１２０を介して子局２００に音声データを出力させ、公民館に集う住民の安全を守ることとなる。
【００２４】
操作卓１１０は、上記したようにオペレータによって使用されるものであり、オペレータが音声データを順次に入力するための構成を備えている。オペレータが音声データを順次に入力するための構成としては、例えば、マイクを使用することができる。この場合には、オペレータが放送内容を読み上げることでマイクを介して音声データを順次に入力することができる。また、オペレータが音声データを順次に入力するための構成は、マイクに限定されるものではなく、音声データが記録されている音源メモリなどであってもよい。オペレータは、例えば、音源メモリに記録されている音声データを再生するための操作を行うことによって音声データを再生させ、音声データを入力することができる。
【００２５】
操作卓１１０は、音声データを繰り返して出力すべき繰り返し部分を示す繰り返し情報をオペレータが入力するための構成をさらに備えている。上記した例では、「ただいま大雨洪水警報が発令されました。」という部分が繰り返し部分に相当するため、オペレータは、「ただいま大雨洪水警報が発令されました。」という部分を示す情報を繰り返し情報として入力する。例えば、オペレータが音声データを順次に入力しながら、繰り返し部分の開始位置に到達したときに繰り返し部分の開始を示す開始信号を入力し、繰り返し部分の終了位置に到達したときに繰り返し部分の終了を示す終了信号を入力する。そうすれば、開始信号が入力された時刻と終了信号が入力された時刻との組み合わせによって繰り返し情報を構成することができる。
【００２６】
オペレータが繰り返し情報を入力するための構成としては、様々なものが想定されるが、例えば、ボタンなどを使用することができる。その場合には、例えば、上記した開始信号は、オペレータによってボタンが押下されることにより生じ、上記した終了信号は、オペレータによってボタンが離されることにより生じることとすればよい。また、当然のことながら、開始信号を生じさせるためのボタンと終了信号を生じさせるためのボタンとは別に用意されていることとしてもよい。その場合には、オペレータは、開始信号を生じさせるために第１のボタンを押下し、終了信号を生じさせるために第２のボタンを押下すればよい。また、オペレータが繰り返し情報を入力するための構成としては、ボタン以外のハードウェアを使用することもできる。
【００２７】
親局１２０は、操作卓１１０と接続されており、操作卓１１０によって送信された音声データと繰り返し情報とを受信する機能を有する。親局１２０と操作卓１１０との接続は、典型的には有線によるものであるが、有線に限定されるものではなく、無線によるものであってもよい。親局１２０は、操作卓１１０から受信した音声データと繰り返し情報とを無線信号によって子局２００に送信する。
【００２８】
子局２００は、親局１２０と無線によって接続されており、親局１２０と無線信号によって通信を行うことが可能である。子局２００は、特に、親局１２０から送信された音声データと繰り返し情報とを無線信号によって受信する機能を有する。また、子局２００は、音声データを順次に出力するが、繰り返し情報によって示される繰り返し部分については、繰り返して出力する。子局２００によって繰り返し部分が出力される回数は、典型的には２回であるが、３回以上であってもよい。
【００２９】
図１には、無線通信システム１０が子局２００の例として子局２００Ａ〜子局２００Ｃを有する場合について示されている。しかしながら、無線通信システム１０が有する子局２００の数は特に限定されるものではない。また、図１に示した例では、子局２００Ａ、子局２００Ｂは、親局１２０から送信された無線信号を直接受信しており、子局２００Ｃは、親局１２０から送信された無線信号を、中継局３００を介して受信している。このように、子局２００は、親局１２０から送信された無線信号を直接的に受信してもよいし、中継局３００などを介して間接的に受信してもよい。
【００３０】
このような構成により、子局２００は、オペレータによって指定された繰り返し部分を繰り返して出力することができる。なお、上記したように、典型的には、繰り返し情報に基づいて音声データの繰り返し部分を展開して出力する処理を子局２００が行うが、子局２００の代わりに操作卓１１０や親局１２０が行ってもよい。すなわち、操作卓１１０が、繰り返し部分を繰り返し、繰り返した結果として得られる音声データを親局１２０に送信することとしてもよく、親局１２０が、繰り返し部分を繰り返し、繰り返した結果として得られる音声データを子局２００に送信することとしてもよい。なお、防災目的で使用され、繰り返し情報に基づいて音声データの繰り返し部分を展開して出力する処理を子局２００が行うこととなっているシステムにおいて、子局２００に繰り返し部分を展開するかしないかを選択できる機能を設けることも可能である。これにより、子局２００の一つが役所関連の施設に設置された場合には、一般住民向けの子局２００においては繰り返し部分の展開を行い、役所の施設内では繰り返し部分の展開は行わないことで、役所の施設内においては必要最小限の時間で放送内容を把握できるようにすることも可能である。
【００３１】
図２は、本発明の実施形態に係る操作卓の機能構成を示す図である。図２を参照して、本発明の実施形態に係る操作卓の機能構成について説明する。上記したように、本発明の実施形態に係る操作卓１１０は、オペレータによって使用されるものである。図２に示すように、操作卓１１０は、操作入力部１１１と、音声入力部の例としてのマイク１１２や音源メモリ１１６と、制御部１１３と、操作出力部１１７と、音声入力要求受信部１１８と、音声出力部１１９とを備えるものである。各ブロックについて説明する。
【００３２】
操作入力部１１１は、音声入力部の一例としてのマイク１１２によって音声データの入力が順次に受け付けられる間にオペレータから操作情報の入力を受け付ける機能を有するものである。上記したように、音声入力部の一例としては音源メモリ１１６を使用することもできる。また、本実施形態では、マイク１１２と音源メモリ１１６との双方を使用することとするが、このような場合には、オペレータが音声入力部としてマイク１１２および音源メモリ１１６のうちのいずれを使用するかを選択することができることとすればよい。
【００３３】
マイク１１２は、音声入力部の一例として機能するものであり、音声データの入力を順次に受け付ける機能を有するものである。マイク１１２は、オペレータが読み上げる放送内容の入力を音声データの入力として順次に受け付け、入力を受け付けた音声データを順次に音源制御部１１５に出力する。
【００３４】
音源メモリ１１６は、音声入力部の一例として機能するものであり、音声データの記録媒体としての機能を有するものである。オペレータによって音源メモリ１１６に記録されている音声データを再生するための操作が入力されると、音源メモリ１１６に記録されている音声データが音源制御部１１５によって再生されて取得される。
【００３５】
制御部１１３は、操作制御部１１４と、音源制御部１１５とを主に備えるものである。操作制御部１１４は、操作入力部１１１から出力された操作情報を操作出力部１１７に出力する機能を有するものである。その際に、操作制御部１１４は、操作入力部１１１から出力された操作情報のうちで親局１２０に出力すべき操作情報を選択し、選択した操作情報を操作出力部１１７に出力することとしてもよい。
【００３６】
音源制御部１１５は、上記したように、マイク１１２または音源メモリ１１６から音声データを順次に取得し、取得した音声データを順次に音声出力部１１９に出力する機能を有するものである。音源制御部１１５は、電源から操作卓１１０に電力が供給されている間は、マイク１１２または音源メモリ１１６から音声データを常に取得することとしてもよいが、所定の間だけマイク１１２または音源メモリ１１６から音声データを取得することとしてもよい。例えば、本実施形態では、音源制御部１１５は、音声入力要求受信部１１８によって親局１２０から音声入力要求が受信されたことを契機にマイク１１２または音源メモリ１１６から音声データを取得することとする。また、音源制御部１１５は、オペレータから音声データの入力を開始するための操作がなされてから音声データの入力を終了するための操作がなされるまでの間のみマイク１１２または音源メモリ１１６から音声データを取得することとしてもよい。
【００３７】
制御部１１３は、例えば、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）によって構成され、ＣＰＵが、操作卓１１０の図示しない記憶部によって記憶されているプログラムをＲＡＭに展開して実行することによって制御部１１３の機能が実現される。また、制御部１１３は、専用のハードウェアによって構成されていることとすることもできる。
【００３８】
操作出力部１１７は、親局１２０に操作情報を順次に出力する機能を有するものである。操作出力部１１７は、操作入力部１１１から出力された操作情報のすべてを親局１２０に出力することとしてもよいし、操作入力部１１１から出力された操作情報のうちで操作制御部１１４によって選択された操作情報のみを親局１２０に出力することとしてもよい。
【００３９】
音声入力要求受信部１１８は、親局１２０から音声入力要求を受信する機能を有するものである。音声入力要求受信部１１８によって受信された音声入力要求は、音源制御部１１５に出力される。ただし、音声入力要求の受信とは無関係に音源制御部１１５が音声データの取得を開始する場合などには、音声入力要求受信部１１８は特に存在しないこととしてもよい。音声入力要求については、親局１２０についての説明箇所において詳細に述べる。
【００４０】
音声出力部１１９は、親局１２０に音声データを順次に出力する機能を有するものである。ここで出力される音声データは、音源制御部１１５によって取得されたものである。本実施形態では、操作出力部１１７によって出力される操作情報と音声出力部１１９によって出力される音声データとは、異なる回線を介して親局１２０に送信されることとするが、同一の回線を介して親局１２０に送信されることとしてもよい。
【００４１】
上記したように、繰り返し情報は、繰り返し部分を特定するための情報であれば特に限定されるものではない。例えば、繰り返し情報は、繰り返し部分の開始を示す開始信号が入力される時刻と繰り返し部分の終了を示す終了信号が入力される時刻との組み合わせによって構成されるものである。この場合、例えば、開始信号は、オペレータによってボタンが押下されることにより生じ、終了信号は、オペレータによってボタンが離されることにより生じるものである。
【００４２】
図３は、本発明の実施形態に係る親局の機能構成を示す図である。図３を参照して、本発明の実施形態に係る親局の機能構成について説明する。上記したように、本発明の実施形態に係る親局１２０は、子局２００に音声データと繰り返し情報とを送信するものである。図３に示すように、親局１２０は、操作入力部１２１と、音声入力要求送信部１２２と、音声入力部１２３と、制御部１２４と、信号処理部１２５と、音声制御部１２６と、無線処理部１２７と、アンテナ１２８と、検出部４０１とを備えるものである。各ブロックについて説明する。
【００４３】
操作入力部１２１は、音声入力部１２３によって音声データの入力が順次に受け付けられる間に操作卓１１０から操作情報の入力を受け付ける機能を有するものである。上記したように、本実施形態では、操作情報と音声データとは、異なる回線を介して操作卓１１０から入力されることとするが、同一の回線を介して操作卓１１０から入力されることとすることもできる。操作入力部１２１によって入力が受け付けられた操作情報は、検出部４０１に出力される。
【００４４】
音声入力要求送信部１２２は、操作卓１１０に音声入力要求を送信する機能を有するものである。ただし、上記したように、音声入力要求の送信とは無関係に操作卓１１０が音声データの取得を開始する場合などには、音声入力要求送信部１２２は特に存在しないこととしてもよい。音声入力要求送信部１２２によって送信される音声入力要求は、信号処理部１２５によって生成される。
【００４５】
音声入力部１２３は、操作卓１１０から音声データの入力を順次に受け付ける機能を有するものである。音声入力部１２３は、入力を受け付けた音声データを順次に音声制御部１２６に出力する。上記したように、本実施形態では、操作情報と音声データとは、異なる回線を介して操作卓１１０から入力されることとするが、同一の回線を介して操作卓１１０から入力されることとすることもできる。
【００４６】
制御部１２４は、信号処理部１２５と、音声制御部１２６と、検出部４０１とを主に備えるものである。信号処理部１２５は、子局２００を起動させるための呼出信号の生成から音声入力要求送信部１２２を介した操作卓１１０への音声入力要求の送信までの処理を実行する機能を有する。すなわち、信号処理部１２５は、子局２００を起動させるための呼出信号を生成すると、アンテナ１２８を介して子局２００に送信し、起動が完了した子局２００に対して放送を開始するためのシーケンスを成立させた後、音声入力要求送信部１２２に操作卓１１０への音声入力要求の送信を実行させる。
【００４７】
音声制御部１２６は、音声入力部１２３によって順次に入力が受け付けられた音声データに対して雑音を取り除く処理などを適宜行う機能を有するものである。操作卓１１０が静かな場所に設置されている場合など、音声データから雑音を取り除く処理などが不要な場合には、音声制御部１２６は特に存在しないこととしてもよい。音声制御部１２６によって処理がなされた音声データは、検出部４０１に出力される。
【００４８】
検出部４０１は、操作入力部１２１によって入力が受け付けられた操作情報から音声データを繰り返して出力すべき繰り返し部分を示す繰り返し情報を検出する機能を有するものである。上記したように、繰り返し情報は、繰り返し部分の開始を示す開始信号が入力される時刻と繰り返し部分の終了を示す終了信号が入力される時刻との組み合わせによって構成されるものである。検出部４０１は、例えば、開始信号が入力された時刻に音声入力部１２３によって入力が受け付けられた音声データに対して繰り返し部分の開始を示す開始データを付加することができる。同様に、終了信号が入力された時刻に音声入力部１２３によって入力が受け付けられた音声データに対して繰り返し部分の終了を示す終了データを付加することができる。検出部４０１は、このように付加された開始データと終了データとの組み合わせで繰り返し情報を表現することができる。
【００４９】
親局１２０から子局２００に送信される音声データが、例えば、フレーム単位やパケット単位で構成される場合には、検出部４０１は、開始信号が入力された時刻に音声入力部１２３によって入力が受け付けられたフレームやパケットに開始データを付加することができる。同様に、検出部４０１は、終了信号が入力された時刻に音声入力部１２３によって入力が受け付けられたフレームやパケットに終了データを付加することができる。開始データと終了データとは、異なる値であり、例えば、開始データとしては「１」を、終了データとしては「０」を使用することができるが、それぞれの値は特に限定されるものではない。
【００５０】
フレームやパケット内において開始データや終了データが付加される領域は、どの領域であってもよい。例えば、デジタル防災行政無線の規格ＡＲＩＢ−ＳＴＤ−Ｔ８６では、このような開始データや終了データを記述するための領域がフレーム内に設けられていない。そこで、例えば、フレーム内に予備ビットを設定するために設けられている領域に開始データや終了データを記述することができる。なお、以上において述べた繰り返し情報の送信手法は、一例にすぎず、繰り返し情報の送信手法については特に限定されるものではない。すなわち、繰り返し情報は、音声データの繰り返し部分を特定するための情報であればどのような情報であってもよい。
【００５１】
制御部１２４は、例えば、ＣＰＵやＲＡＭによって構成され、ＣＰＵが、親局１２０の図示しない記憶部によって記憶されているプログラムをＲＡＭに展開して実行することによって制御部１２４の機能が実現される。また、制御部１２４は、専用のハードウェアによって構成されていることとすることもできる。
【００５２】
無線処理部１２７は、制御部１２４から出力された信号を子局２００に送信するための信号に変調して、アンテナ１２８に出力する機能を有するものである。また、無線処理部１２７は、アンテナ１２８から出力された信号を制御部１２４で処理するための信号に復調して、制御部１２４に出力する機能を有するものである。
【００５３】
アンテナ１２８は、音声入力部１２３によって入力が受け付けられた音声データと検出部４０１によって検出された繰り返し情報とを無線信号によって子局２００に送信する機能を有するものである。上記したように、繰り返し情報は、例えば、音声データに開始データおよび終了データが付加されることによって表現されるものである。アンテナ１２８は、通信部の一例として機能するものである。
【００５４】
図４は、本発明の実施形態に係る子局の機能構成を示す図である。図４を参照して、本発明の実施形態に係る子局の機能構成について説明する。上記したように、本発明の実施形態に係る子局２００は、親局１２０から音声データと繰り返し情報とを受信し、繰り返し情報に基づいて繰り返し部分を繰り返して音声データを出力するものである。図４に示すように、子局２００は、アンテナ２０１と、無線処理部２０２と、制御部２０３と、音声メモリ４０３と、スピーカ２０６とを備えるものである。各ブロックについて説明する。
【００５５】
アンテナ２０１は、親局１２０から送信された音声データと繰り返し情報とを無線信号によって受信する機能を有するものである。上記したように、繰り返し情報は、例えば、音声データに開始データおよび終了データが付加されることによって表現されるものである。アンテナ２０１は、通信部の一例として機能するものである。
【００５６】
無線処理部２０２は、制御部２０３から出力された信号を親局１２０に送信するための信号に変調して、アンテナ２０１に出力する機能を有するものである。また、無線処理部２０２は、アンテナ２０１から出力された信号を制御部２０３で処理するための信号に復調して、制御部２０３に出力する機能を有するものである。
【００５７】
制御部２０３は、信号処理部２０４と、記録制御部４０２と、音声制御部２０５とを主に備えるものである。信号処理部２０４は、信号処理部２０４は、自局を起動させるための呼出信号を、アンテナ２０１を介して受信すると、自局の起動を行い、起動が完了した後、親局１２０との間で放送を開始するためのシーケンスを成立させる。
【００５８】
記録制御部４０２は、アンテナ２０１によって音声データのうち繰り返し部分より前の部分が受信されている間は受信された部分をスピーカ２０６から順次に出力させる機能を有する。また、記録制御部４０２は、アンテナ２０１によって音声データのうち繰り返し部分が受信されている間は受信された部分を音声メモリ４０３に順次に記録するとともにスピーカ２０６から順次に出力させる機能を有する。さらに、記録制御部４０２は、アンテナ２０１によって音声データのうち繰り返し部分より後の部分が受信されている間は受信された部分を音声メモリ４０３に順次に記録するとともに音声メモリ４０３から繰り返し部分と当該繰り返し部分に続く部分とを順次に読み出してスピーカ２０６から出力させる機能を有する。記録制御部４０２が有する機能については、図６を参照してさらに詳しく述べる。
【００５９】
音声制御部２０５は、記録制御部４０２によって順次に入力が受け付けられた音声データに対して雑音を取り除く処理などを適宜行う機能を有するものである。親局１２０と子局２００との無線通信の状況が良好な場合など、音声データから雑音を取り除く処理などが不要な場合には、音声制御部２０５は特に存在しないこととしてもよい。音声制御部２０５によって処理がなされた音声データは、スピーカ２０６に出力される。
【００６０】
制御部２０３は、例えば、ＣＰＵやＲＡＭによって構成され、ＣＰＵが、子局２００の図示しない記憶部によって記憶されているプログラムをＲＡＭに展開して実行することによって制御部２０３の機能が実現される。また、制御部２０３は、専用のハードウェアによって構成されていることとすることもできる。
【００６１】
スピーカ２０６は、音声データを出力する機能を有するものである。スピーカ２０６は、音声出力部の一例として機能するものである。
【００６２】
図５は、本発明の実施形態に係る親局および子局の各局によって出力される音声データと各局によって検出される検出信号との時間による変化の一例を示す図である。図６は、本発明の実施形態に係る子局の音声メモリに記録される音声データの時間による変化の一例を示す図である。図５および図６を参照して、本発明の実施形態に係る親局および子局の各局によって出力される音声データと各局によって検出される検出信号と子局の音声メモリに記録される音声データとの時間による変化について説明する。
【００６３】
図５に示すように、音声データａと音声データｂと音声データｃとが順次に親局１２０から子局２００に送信されるとともに、繰り返し部分（音声データｂ）を示す繰り返し情報が親局１２０から子局２００に送信される。親局１２０から送信された音声データが子局２００に到達するまでに時間がかかるため、親局１２０が音声データを出力する時刻よりも子局２００が音声データを出力する時刻のほうが僅かに遅くなっている。親局１２０は音声データｂを１回出力しているが、子局２００は繰り返し情報に基づいて音声データｂを繰り返し出力している。
【００６４】
図５に示した検出信号は、オペレータによってボタンが押下されるとボタンが離されるまで生じる信号である。すなわち、オペレータによってボタンが押下されている間だけＯＦＦからＯＮに切り替わるものである。上記した例では、検出信号がＯＦＦからＯＮに切り替わる時刻が繰り返し部分の開始時刻に相当し、検出信号がＯＮからＯＦＦに切り替わる時刻が繰り返し部分の終了時刻に相当する。子局２００が、音声データに付加されている開始データによって検出信号のＯＦＦからＯＮへの切り替えを検出し、音声データに付加されていると終了データによって検出信号のＯＮからＯＦＦへの切り替えを検出する例については既に述べた通りである。ここでも、親局１２０から送信された検出信号が子局２００に到達するまでに時間がかかっている。
【００６５】
子局２００の音声メモリ４０３に記録される音声データが、図５に示した各時刻Ｔ１〜Ｔ９に対応させて図６に示されている。図６に示すように、時刻Ｔ１においては、子局２００は、親局１２０から受信した音声データａを音声メモリ４０３ａに記録することなく、順次に出力する。これは、親局１２０から受信している音声データａが繰り返し部分（音声データｂ）よりも前の部分に相当することによる。時刻Ｔ２における子局２００も時刻Ｔ１における子局２００と同様に親局１２０から受信した音声データａを音声メモリ４０３ｂに記録することなく、順次に出力し、時刻Ｔ３における子局２００も時刻Ｔ１における子局２００と同様に親局１２０から受信した音声データａを音声メモリ４０３ｃに記録することなく、順次に出力する。
【００６６】
時刻Ｔ４においては、子局２００は、親局１２０から受信した音声データｂを順次に音声メモリ４０３ｄに記録するとともに、順次に出力する。これは、親局１２０から受信している音声データｂが繰り返し部分（音声データｂ）に相当することによる。時刻Ｔ５における子局２００も時刻Ｔ４における子局２００と同様に親局１２０から受信した音声データｂを順次に音声メモリ４０３ｅに記録するとともに、順次に出力する。
【００６７】
時刻Ｔ５以降には、子局２００は、親局１２０から音声データｃを受信している。すなわち、時刻Ｔ６においては、子局２００は、親局１２０から受信した音声データｃを音声メモリ４０３ｆに順次に記録するとともに音声メモリ４０３ｆから繰り返し部分（音声データｂ）を順次に読み出して出力する。これは、親局１２０から受信している音声データｃが繰り返し部分（音声データｂ）より後の部分に相当することによる。時刻Ｔ７における子局２００も時刻Ｔ６における子局２００と同様に親局１２０から受信した音声データｃを順次に音声メモリ４０３ｇに順次に記録するとともに音声メモリ４０３ｇから繰り返し部分（音声データｂ）を順次に読み出して出力する。
【００６８】
ここで、時刻Ｔ７において、子局２００は、既に記録されている音声データｂを上書きするように音声データｃを音声メモリ４０３ｇに記録している。音声メモリ４０３が有する記録領域は有限であるため、子局２００は、このように、音声メモリ４０３をリングバッファとして使用することによって記録領域が有限である音声メモリ４０３を効率的に使用することができる。
【００６９】
時刻Ｔ８には、親局１２０からの音声データの受信はなされておらず、音声メモリ４０３ｈから音声データｃを順次に読み出して出力する。時刻Ｔ９における子局２００も時刻Ｔ８における子局２００と同様に音声メモリ４０３ｉから音声データｃを順次に読み出して出力する。
【００７０】
［効果の説明］
本発明の実施形態によれば、オペレータが親局１２０に音声データのうちの特定の部分を繰り返し入力しなくても、子局２００が音声データのうちの特定の部分を繰り返して出力することが可能となる。また、当然のことながら、オペレータが放送内容を読み上げて音声データを入力する際に、繰り返し部分を複数回読み上げなくて済むため、読み間違えによる誤放送を防止することができる。また、音源メモリ１１６に音声データを記録する際に、繰り返し部分を複数回記録する手間を省くことができる。さらに、音源メモリ１１６に記録しておく音声データのデータ量を低減することができる。
【００７１】
図７は、従来技術に係る親局と本発明の実施形態に係る親局との占有時間を比較するための図である。図７を参照して、従来技術に係る親局と本発明の実施形態に係る親局との占有時間を比較する。
【００７２】
図７に示すように、従来技術に係る親局１２０は、音声データｂを子局２００に２回送信する必要があった。しかし、本発明の実施形態に係る親局１２０は、音声データｂを子局２００に１回送信すればよいため、音声データｂを１回送信するために要する時間だけ親局１２０の占有時間を低減することができる。これにより、本発明の実施形態に係る親局１２０は子局２００への音声データの送信を従来に係る親局と比較して早く完了させ、次の処理に以降することができる。
【００７３】
［変形例］
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７４】
例えば、上記した実施形態においては、子局２００が繰り返し情報に基づいて音声データの繰り返し部分を展開することとした。しかし、子局２００の代わりに、操作卓１１０や親局１２０が繰り返し情報に基づいて音声データの繰り返し部分を展開することとしてもよい。
【００７５】
例えば、親局１２０が音声データの繰り返し部分を展開するときには、親局１２０のアンテナ１２８は、子局２００と無線信号によって通信を行う機能を有し、親局１２０は、記録制御部４０２と音声メモリ４０３とをさらに備えることとなる。その場合には、親局１２０の記録制御部４０２は、音声入力部１２３によって繰り返し情報が示す繰り返し部分より前の部分の入力が受け付けられている間は入力が受け付けられた部分についてアンテナ１２８を介して子局２００に順次に送信する。また、親局１２０の記録制御部４０２は、音声入力部１２３によって繰り返し情報が示す繰り返し部分の入力が受け付けられている間は入力が受け付けられた部分について音声メモリ４０３に順次に記録するとともにアンテナ１２８を介して子局２００に順次に送信する。また、親局１２０の記録制御部４０２は、音声入力部１２３によって繰り返し情報が示す繰り返し部分より後の部分の入力が受け付けられている間は入力が受け付けられた部分について音声メモリ４０３に順次に記録するとともに音声メモリ４０３から繰り返し部分とその繰り返し部分に続く部分とを順次に読み出してアンテナ１２８を介して子局２００に送信する。子局２００のスピーカ２０６は、アンテナ２０１によって受信された音声データを出力する。
【００７６】
このような変形例によれば、オペレータが操作卓１１０に音声データのうちの特定の部分を繰り返し入力しなくても、子局２００が音声データのうちの特定の部分を繰り返して出力することが可能となる。また、当然のことながら、オペレータが放送内容を読み上げて音声データを入力する際に、繰り返し部分を複数回読み上げなくて済むため、読み間違えによる誤放送を防止することができる。また、音源メモリ１１６に音声データを記録する際に、繰り返し部分を複数回記録する手間を省くことができる。さらに、音源メモリ１１６に記録しておく音声データのデータ量を低減することができる。
【００７７】
また、例えば、操作卓１１０が音声データの繰り返し部分を展開するときには、操作卓１１０は、検出部４０１と記録制御部４０２と音声メモリ４０３とをさらに備えることとなる。操作卓１１０の検出部４０１は、操作情報から音声データを繰り返して出力すべき繰り返し部分を示す繰り返し情報を検出する。操作卓１１０の記録制御部４０２は、音源制御部１１５によって繰り返し情報が示す繰り返し部分より前の部分が取得されている間は取得された部分について音声出力部１１９を介して親局１２０に順次に出力する。また、操作卓１１０の記録制御部４０２は、音源制御部１１５によって繰り返し情報が示す繰り返し部分が取得されている間は取得された部分について音声メモリ４０３に順次に記録するとともに音声出力部１１９を介して親局１２０に順次に出力する。また、操作卓１１０の記録制御部４０２は、音源制御部１１５によって繰り返し情報が示す繰り返し部分より後の部分が取得されている間は取得された部分について音声メモリ４０３に順次に記録するとともに音声メモリ４０３から繰り返し部分と繰り返し部分に続く部分とを順次に読み出して音声出力部１１９を介して親局１２０に出力する。親局１２０のアンテナ１２８は、音声入力部１２３によって入力が受け付けられた音声データを無線信号によって子局２００に送信する。子局２００のスピーカ２０６は、アンテナ２０１によって受信された音声データを出力する。
【００７８】
図８は、本発明の実施形態に係る操作卓によって音声データの繰り返し部分が展開される変形例について説明するための図である。図８に示すように、操作卓１１０によって音声データの繰り返し部分が展開される場合には、音声データａ、音声データｂ、音声データｃの順に操作卓１１０に入力されるが、操作卓１１０によって音声データｂが２つに展開され、音声データａ、音声データｂ、音声データｂ、音声データｃの順に操作卓１１０から出力される。このような変形例によれば、オペレータが操作卓１１０に音声データのうちの特定の部分を繰り返し入力しなくても、子局２００が音声データのうちの特定の部分を繰り返して出力することが可能となる。また、当然のことながら、オペレータが放送内容を読み上げて音声データを入力する際に、繰り返し部分を複数回読み上げなくて済むため、読み間違えによる誤放送を防止することができる。また、音源メモリ１１６に音声データを記録する際に、繰り返し部分を複数回記録する手間を省くことができる。さらに、音源メモリ１１６に記録しておく音声データのデータ量を低減することができる。
【符号の説明】
【００７９】
１０    無線通信システム
１１０  操作卓
１１１  操作入力部
１１２  マイク（音声入力部）
１１３  制御部
１１４  操作制御部
１１５  音源制御部
１１６  音源メモリ（音声入力部）
１１７  操作出力部
１１８  音声入力要求受信部
１１９  音声出力部
１２０  親局
１２１  操作入力部
１２２  音声入力要求送信部
１２３  音声入力部
１２４  制御部
１２５  信号処理部
１２６  音声制御部
１２７  無線処理部
１２８  アンテナ（通信部）
２００  子局
２０１  アンテナ（通信部）
２０２  無線処理部
２０３  制御部
２０４  信号処理部
２０５  音声制御部
２０６  スピーカ（音声出力部）
３００  中継局
４０１  検出部
４０２  記録制御部
４０３  音声メモリ
【図１】
0005552822.tif 000002
【図２】
0005552822.tif 000003
【図３】
0005552822.tif 000004
【図４】
0005552822.tif 000005
【図５】
0005552822.tif 000006
【図６】
0005552822.tif 000007
【図７】
0005552822.tif 000008
【図８】
0005552822.tif 000009